(57)【要約】【課題】解錠コード入力手段からの解錠信号を受けた後、レバーハンドルの回転操作によってラッチボルトとデッドボルトの没入動作が同時になされる電気錠を提供する。【解決手段】ロック軸の一側面にデッドボルトの出没操作用の駆動ハブを突設し、他側面にクラッチレバーの枢着用の支軸ハブを突設し、ハンドル軸に前記ロック軸の両側に配置される第１駆動脚部及び第２駆動脚部を設け、解錠コード入力手段からの動作信号に基づいて正逆回転するモータの出力軸に螺子棒を接続し、直線移動するよう案内したカム板部材のキャリア部の螺子孔に前記螺子棒を螺合させ、カム板部材が退避位置にあるとき、レバー付勢用バネによってクラッチレバーの受圧アーム部をロック軸の側面に当接させ、ロック軸と当接状態にある受圧アーム部を第１駆動脚部で押動し、連動レバーの受動アーム部を第２駆動脚部で押動する。【選択図】　　　図５
2004143739.tif 000002
【特許請求の範囲】
【請求項１】
解錠コード入力手段を装備した主錠箱に設けられたハンドルと、前記主錠箱の背後に配置される副錠箱内に設けられたデッドボルト及びラッチボルトと、
前記ハンドルのハンドル軸の延長線上において前記副錠箱に回転可能に設けられ、一側の側面にデッドボルトの内端部に係合して前記デッドボルトを出没操作させる駆動ハブが突設され、他側に支軸ハブが突設されたロック軸と、
前記ハンドル軸に固着され、前記主錠箱より突出して前記副錠箱に回転可能に挿入され、前記ロック軸の両側に配置される第１駆動脚部及び第２駆動脚部と、前記支軸ハブに面して前記副錠箱内に設けられ、出力軸に螺子棒が接続され、解錠コード入力手段からの動作信号に基づいて回転するモータと、
前記副錠箱に直線移動可能に案内装備され、基端部のキャリア部に前記螺子棒が螺合する螺子孔を設けたカム板部材と
前記支軸ハブの先端部に支軸によって枢着され、前記螺子棒の正逆回転によって前記カム板部材が進退するとき、前記支軸を中心に揺動して受圧アーム部が前記ロック軸の側面に接離するクラッチレバーと、
前記カム板部材が退避位置にあるとき、受圧アーム部を前記ロック軸の側面に当接させるレバー付勢用バネと、
前記副錠箱に枢着され、枢軸を挟んで一側に前記受動アーム部がロック軸方向に突設され、他側に前記ラッチボルトの内端部と係合する牽引アーム部が形成された連動レバーとから成り、
前記ロック軸と当接状態にある前記受圧アーム部の先端面を第１駆動脚部で押動し、前記受動アーム部の側面を前記第２駆動脚部で押動するようにした電気錠。
【発明の詳細な説明】
【０００１】
【発明の属する技術分野】
本発明は、デッドボルトの錠箱への没入阻止が電気的駆動手段を介して解除される電気錠に関するものである。
【０００２】
【従来の技術】
従来の電気錠は、テンキーやカードキーによる解除コード入力手段と、サムターンやシリンダー錠等どの手動手段の操作により出没させられるデッドボルトと、レバーなドル等の把持手段により没入させられるラッチボルトから成り、解錠方法は、先ず前記入力手段によって作用するソレノイドやモータ等の電気的駆動手段を用いてデッドボルトの没入阻止を解除し（第１段階）、次いで前記手動手段によってデッドボルトを没入させ（第２段階）、最後に前記把持手段によってラッチボルトを没入させながらドアを開放する（第３段階）ようになっている。
【０００３】
このような操作手順にしたがって操作される従来の錠電気錠では、解錠操作が三段階にわたってなされるため、著しく手間がかかり、操作性が良くないという問題があった。この操作性の改善のために種々の改良構造が提案されている（例えば、特許文献１参照）。
【０００４】
この改良された電気錠は、錠箱内に設けられたデッドボルト及びラッチボルトと、サムターンの操作によって可逆回転させてデッドボルトを出没させ、かつシリンダ錠の操作により一方向に回転させてデッドボルトを突出させる第１作用体と、この第１作用体を可逆回転させるリンクと、レバーハンドル等の把持部材の回動操作によりラッチボルトを没入させ、第２作用体の可逆回転により昇降させられる昇降体と、錠箱内に組み込まれた駆動体を解錠コード入力手段により作用させるとき、前記昇降体を途中の支点を中心に一方向に揺動させる連動装置と、前記昇降体とと前記リンクとに前記昇降体が一方向に揺動したときのみに係合する係合装置とから成る。
【０００５】
この電気錠では、解錠コード入力手段により駆動体を作用させると、連動装置によって昇降体が揺動させられ、係合装置を介して前記昇降体とリンクが係合する。そのため、操作部材により第２作用体を回動させてラッチボルトを没入させると、上昇する昇降体及びリンクを介して第１作用体が回動しながらデッドボルトを同時に没入させ、解錠することができる。
【０００６】
この電気錠では、ラッチボルトとデッドボルトの没入動作が同時に実行されるため、操作性それ自体は大幅に改善されているが、複雑な連動機構を介在させる必要があるため、電気錠の全体の製作組立てコストが高くなるという問題がある。
【０００７】
【特許文献１】
平成６年特許出願公告第４３７７２号公報
【０００８】
【発明が解決しようとする課題】
本発明はこのような問題を解決するためになされたもので、その目的は、解錠コード入力手段からの解錠信号を受けた後、レバーハンドルの回転操作によってラッチボルトとデッドボルトの没入動作が同時になされるとともに、複雑な連動機構を組み入れていないため製作組立てのコストを節減できる電気錠を提供することである。
【０００９】
【課題を解決するための手段】
本発明は上記目的を達成するため、解錠コード入力手段を装備した主錠箱に設けられたハンドルと、
前記主錠箱の背後に配置される副錠箱内に設けられたデッドボルト及びラッチボルトと、
前記ハンドルのハンドル軸の延長線上において前記副錠箱に回転可能に設けられ、一側の側面にデッドボルトの内端部に係合して前記デッドボルトを出没操作させる駆動ハブが突設され、他側に支軸ハブが突設されたロック軸と、
前記ハンドル軸に固着され、前記主錠箱より突出して前記副錠箱に回転可能に挿入され、前記ロック軸の両側に配置される第１駆動脚部及び第２駆動脚部と、前記支軸ハブに面して前記副錠箱内に設けられ、出力軸に螺子棒が接続され、解錠コード入力手段からの動作信号に基づいて回転するモータと、
前記副錠箱に直線移動可能に案内装備され、基端部のキャリア部に前記螺子棒が螺合する螺子孔を設けたカム板部材と、
前記支軸ハブの先端部に支軸によって枢着され、前記螺子棒の正逆回転によって前記カム板部材が進退するとき、前記支軸を中心に揺動して受圧アーム部が前記ロック軸の側面に接離するクラッチレバーと、
前記カム板部材が退避位置にあるとき、受圧アーム部を前記ロック軸の側面に当接させるレバー付勢用バネと、
前記副錠箱に枢着され、枢軸を挟んで一側に前記受動アーム部がロック軸方向に突設され、他側に前記ラッチボルトの内端部と係合する牽引アーム部が形成された連動レバーとから成り、
前記ロック軸と当接状態にある前記受圧アーム部の先端面を第１駆動脚部で押動し、前記受動アーム部の側面を前記第２駆動脚部で押動するようにしたことを特徴とする。
【００１０】
【発明の作用】一般的には前記副錠箱は扉端部の内側空間に埋め込み固着され、前記主錠箱は扉端部の正面に突き当て固着される。扉が固定枠体に対して施錠されているときには、デッドボルトとラッチボルトは所定距離だけ前記副錠箱の端面から突出し、前記固定枠体側のそれぞれの受金部に係合している。この施錠状態では、前記カム板部材は前記支軸ハブ側に接近して、カム斜面部で前記クラッチレバーを押している。そのため、前記レバー付勢バネの付勢にもかかわらず、前記クラッチレバーは前記受圧アーム部が前記ロック軸の側面から必要十分に離反した位置にある。
【００１１】
前記クラッチレバーが当該離反位置にあるときには、前記第１駆動脚部は前記受圧アーム部の先端面を押動することができないため、前記ハンドルを回しても前記駆動ハブは前記デッドボルトを没入位置に駆動することができない。
このハンドルの回転によって前記第２駆動脚部が前記連動レバーの前記受動アーム部の側面を押動するため、一時的に前記ラッチボルトが没入方向に駆動されるけれども、デッドボルトによる本締りが解除されないため、諦めて前記ハンドルから手を離したときに、前記ラッチハンドルな内蔵のラッチ付勢用バネの作用によって、施錠位置に突出復帰する。
【００１２】
テンキーや指紋識別ユニットなどの解錠コード入力手段から解錠信号が出力されると、前記モータが一方向に回転し、前記螺子棒とキャリア部との直線ねじ運動によって、前記カム板部材が前記支軸ハブより離反する方向、すなわち解錠方向に移動する。そのため、前記クラッチレバーは前記レバー付勢用バネの作用によって揺動し、前記受圧アーム部が前記ロック軸の側面に当接する解錠待機位置に来る。
【００１３】
この段階で前記ハンドルを所要方向に回転させると、前記受圧アーム部の先端面を第１駆動脚部が押動するため、前記ロック軸が解錠方向に回転し、前記駆動タブが前記デッドボルトを前記副錠箱に向かって引き込める。他方、前記受動アーム部の側面を前記第２駆動脚部が押動するため、前記連動レバーを介して前記ラッチボルトが前記副錠箱に没入させられる。そして、扉は前記ハンドルを引くことによって開放させられる。
【００１４】
前記デッドボルトが解錠位置に没入した後、前記モータは制御部からの動作信号によって逆方向方に回転させられ、前記螺子棒とキャリア部との直線ねじ運動によって前記カム板部材が前記支軸ハブ側の方向、すなわち施錠方向に移動させられ、前記クラッチレバーは前記受圧アーム部が前記ロック軸の側面から離反した退避位置に回転させられる。
【００１５】
前記扉を前記固定枠体に向かって閉鎖回転させると、閉鎖回転の終端において前記ラッチボルトがそのカム面部の作用によって一次的に進退動作し、扉が完全に閉鎖されたとき、前期固定枠体側の受金部に係合する。扉の閉鎖後に、前記ハンドルを逆回転させると、前記第１駆動脚部が前記駆動タブの根元部を押動するため、前記駆動タブによって前記デッドボルトが施錠位置へと押し出され、前記固定枠体側の受金部と係合する。
【００１６】
【発明の実施の形態】
次に本発明の実施の形態例について図面を参照して説明する。この電気錠では、解錠コード入力手段としてテンキーユニット２が主錠箱４の上部に装備され、指紋識別ユニット６が主錠箱４の中間部に装備されており、これらユニットによって本人確認されたとき、その確認信号が主錠箱４内に設置された制御部８送られる。制御部８からの動作信号はモータ１０に送られ、モータ１０が回転制御される。主錠箱４の下部にはレバーハンドル型のハンドル１２が装着されている。
【００１７】
ハンドル軸１４の内端面には、Ｕ字状金具１６が溶接やビス止めなどによって固着され、第１駆動脚部１８及び第２駆動脚部２０が形成されている。ハンドル軸１４の内端部には軸孔２２が形成され、角軸２４が回転可能に嵌め込まれ、基端部の環状溝２６に止めピン２８を挿入することによって抜け止めされている。
【００１８】
角軸２４は主錠箱４の背面板３０の円形孔３２から回転可能に突出し、副錠箱３４の正面壁３６の丸孔３８より副錠箱３４に回転可能に挿入されている。第１駆動脚部１８と第２駆動脚部２０は円形孔３２の両側の円弧状溝孔４０から回転可能に突出し、丸孔３８の両側の円弧状スロット４２より副錠箱３４に回転可能に挿入され、ロック軸４４の両側に対向して配置されている。
【００１９】
扉４６の端部内に収納して固着された副錠箱３４は、主錠箱４の下半部の背後に重なるようにして配置され、円弧状溝孔４０と円弧状スロット４２は相対向して配置されている。副錠箱３４の内部にはデッドボルト４８とラッチボルト５０が上下に平行に収納されている。デッドボルト４８は三枚の金属板を積層して連結ピン４９によって結合一体化したものである。デッドボルト４８の先端錠止部５２は副錠箱３４の端面板３５の開口５４に嵌挿され、デッドボルト４８の中間部に横長に形成されたガイド孔５６には、副錠箱３４に固着されたガイドピン５８が嵌挿されている。先端錠止部５２は固定枠体６０のデッドボルト用受金部６２に係脱する。
【００２０】
デッドボルト４８に設けたバネ受ピン６４とガイドピン５８にはトグルジョイントバネ６６の両端部が嵌められ、デッドボルト４８はトグルジョイントバネ６６の作用によって先端錠止部５２が突出した施錠位置と没入した解錠位置において安定に保持される。デッドボルト４８の内端部の下側辺部には、第１受動部６８と第２受動部７０が凹部壁面に形成されている。デッドボルトの内端部に固着したガイドピン１３８は、副錠箱３４の正面壁３６に形成したガイド孔１３９に嵌挿されている。
【００２１】
ロック軸４４はハンドル軸１４の延長線上において副錠箱３４の正面壁３６と背面壁７２を前後に横断するように回転支持されている。正面壁３６と背面壁７２は、固定スタッド３７とビス３９によって結合一体化されている。ロック軸４４には角軸２４が回転可能に嵌挿される透孔７４を中心部に形成してある。ロック軸４４の一側の側面に駆動ハブ７６が斜めに突設され、ロック軸４４の他側の側面には垂直方向に支軸ハブ７８が突設されている。駆動ハブ７６はデッドボルト４８側の第１受動部６８または第２受動部７０を押動し、これによりデッドボルト４８が出没操作させられる。
【００２２】
副錠箱３４の内部には支軸ハブ７８の斜め下側にモータ１０が固着用ビス８０とブラケット８１と連結用ビス８３によって固定装備され、この水平な出力軸８２には螺子棒８４が一体回転するように連結されている。モータ１０は、解錠コード入力手段からの本人確認信号に基づいて回転制御される。カム板部材８６は左右方向に直線移動するように案内されて副錠箱３４に装備されており、基端部のキャリア部８８に螺子棒８４が螺合する螺子孔９０を設けてある。カム板部材８６の先端部分には第１のカム斜面部９２が形成され、中間部分には第２カム斜面部９４が形成され、キャリア部８８との連絡部にカム肩部９６が形成されている。
【００２３】
支軸ハブ７８の先端部には、クラッチレバー９８が支軸１００によって枢着されている。モータ１０によって螺子棒８４が正逆回転させられ、ねじ運動によってカム板部材８６が左右方向に進退するとき、クラッチレバー９８は支軸１００を中心に揺動回転し、受圧アーム部１０２がロック軸４４の側面に接離する。クラッチレバー９８の基端部には、カム板部材８６が図５において左向きに前進したとき、第１のカム斜面部９２によって押されるカム突起１０４を下向きに形成してある。
【００２４】
カム板部材８６がカム突起１０４から離れた退避位置、すなわち解錠待機位置にあるときには、受圧アーム部１０２はレバー付勢用バネ１０６によってロック軸４４の側面に当接させられている。レバー付勢用バネ１０６は捻りコイルバネで構成されており、そのコイル部分は支軸１００に嵌められ、一方の直線端部はロック軸４４の周面部に当接し、他方の直線端部はカム突起１０４の根元部に当接している。
【００２５】
連動レバー１０８の枢軸１１０は副錠箱３４の正面壁３６と背面壁７２に固着されており、連動レバー１０８の受動アーム部１０９は水平方向に配置され、牽引アーム部１１２は傾斜して配置されている。牽引アーム部１１２の先端側部分は湾曲形成されている。ラッチボルト５０の先端ラッチ部１１４は副錠箱３４の端面開口１１６から出没するものであり、ラッチボルト５０の主体部分１１８は連結用ビス１２０によって座金１２１を介して先端ラッチ部１１４に連結されている。主体部分１１８の内側端部には案内ピン１２２が装備されており、案内ピン１２２は副錠箱３４に形成した左右方向の案内スロット１２３に嵌挿されている。先端ラッチ部１１４は固定枠体６０のラッチ用受金部１２４に係脱する。
【００２６】
連動レバー１０８の牽引アーム部１１２は案内ピン１２２の左側面に係合している。副錠箱３４に固着された案内プレート１２６はラッチボルト５０の横長スロット１２８に嵌挿されている。横長スロット１２８の左端部に形成したバネ受部１３０と案内プレート１２６との間には、圧縮コイルバネで構成したラッチ付勢用バネ１３２が挿入されている。
【００２７】
デッドボルト４８の内端部のバネ支持ピン１３４には捻りコイルバネよりなるハブ付勢用バネ１３６が装着されており、駆動ハブ７６は第１受動部６８に押し付けられている。副錠箱３４の正面壁３６と背面壁７２の間には、連動レバー１０８のストッパーピン１４０と駆動ハブ７６の停止ピン１４２が固着されている。副錠箱３４には、カム板部材８６の位置を検出するための第１マイクロスイッチ１４４と第２マイクロスイッチ１４６が設けられている。
【００２８】
第２カム斜面部９４によって操作される第１マイクロスイッチ１４４の第１アクチュエータレバー１４８と、カム肩部９６によって操作される第２マイクロスイッチ１４６の第２アクチュエータレバー１５０は、互いに逆向きに配置されている。カム板部材８６が左向きに移動して第１のカム斜面部９２でカム突起１０４を押動し、受圧アーム部１０２がロック軸４４の側面から離反した退避位置に到達したとき、第１マイクロスイッチの第１アクチュエータレバー１４８が押されて、モータ１０への通電が遮断される。
【００２９】
カム板部材８６が右向きに移動してカム肩部９６によって第２マイクロスイッチ１４６の第２アクチュエータレバー１５０が押されたとき、モータ１０への通電が遮断される。このようにモータ１０への通電は必要最小限に制御されているため、ノイズの発生が抑制され、静粛性に優れている。
【００３０】
【発明の効果】
以上説明したように本発明の電気錠は、ロック軸の一側面にデッドボルトの出没操作用の駆動ハブを突設し、ロック軸の他側面にクラッチレバーの枢着用の支軸ハブを突設し、ハンドル軸にロック軸の両側に配置される第１駆動脚部及び第２駆動脚部を設け、解錠コード入力手段からの動作信号に基づいて正逆回転するモータの出力軸に螺子棒を接続し、直線移動するよう案内したカム板部材のキャリア部の螺子孔に前記螺子棒を螺合させ、カム板部材が退避位置にあるとき、レバー付勢用バネによってクラッチレバーの受圧アーム部をロック軸の側面に当接させ、ロック軸と当接状態にある受圧アーム部を第１駆動脚部で押動し、連動レバーの受動アーム部を第２駆動脚部で押動するようにしたので、解錠コード入力手段からの解錠信号を受けた後、レバーハンドルの回転操作によってラッチボルトとデッドボルトの没入動作が同時になされることになり、解錠操作が単一動作によって簡略になされ、操作性に優れている。
【００３１】
また、従来の電気錠とは異なり、複雑な連動機構を組み入れていないため、製作組立てのコストを節減することができる。
【図面の簡単な説明】
【図１】本発明の一実施形態例に係る電気錠の正面図である。
【図２】図１の電気錠の左側面図である。
【図３】図１の電気錠で使用した主錠箱の要部背面図である。
【図４】図３の主錠箱の平面図である。
【図５】図２のＡ−Ａ線断面図である。
【図６】図５のＢ−Ｂ線断面図である。
【図７】図５のＣ−Ｃ線断面図である。
【図８】図５のＤ−Ｄ線断面図である。
【符号の説明】
２…テンキーユニット、４…主錠箱、６…指紋識別ユニット、８…制御部、１０…モータ、１２…ハンドル、１４…ハンドル軸、１６…Ｕ字状金具、１８…第１駆動脚部、２０…第２駆動脚部、２２…軸孔、２４…角軸、２６…環状溝、２８…ピン、３０…背面板、３２…円形孔、３４…副錠箱、３６…正面壁、３７…固定スタッド、３９…結合用ビス、３８…丸孔、４０…円弧状溝孔、４２…円弧状スロット、４４…ロック軸、４６…扉、４８…デッドボルト、４９…連結ピン、５０…ラッチボルト、５２…先端錠止部、５４…開口、５６…ガイド孔、５８…ガイドピン、６０…固定枠体、６２…デッドボルト用受金部、６４…バネ受ピン、６６…トグルジョイントバネ、６８…受動部、７０…第２受動部、７２…背面壁、７４…透孔、７６…駆動ハブ、７８…支軸ハブ、８０…固着用ビス、８１…ブラケット、８２…出力軸、８３…連結用ビス、８４…螺子棒、８６…カム板部材、８８…キャリア部、９０…螺子孔、９２…カム斜面部、９４…第２カム斜面部、９６…カム肩部、９８…クラッチレバー、１００…支軸、１０２…受圧アーム部、１０４…カム突起、１０６…レバー付勢用バネ、１０８…連動レバー、１０９…受動アーム部、１１０…枢軸、１１２…牽引アーム部、１１４…先端ラッチ部、１１６…端面開口、１１８…主体部分、１２０…連結用ビス、１２２…案内ピン、１２４…ラッチ用受金部、１２６…案内プレート、１２８…横長スロット、１３０…バネ受部、１３２…ラッチ付勢用バネ、１３４…バネ支持ピン、１３６…ハブ付勢用バネ、１３８…ガイドピン、１３９…ガイド孔、第１受動部、１４０…ストッパーピン、１４２…停止ピン、１４４…マイクロスイッチ、１４６…第２マイクロスイッチ、１４８…第１アクチュエータレバー、１５０…第２アクチュエータレバー
【図１】
2004143739.tif 000003
【図２】
2004143739.tif 000004
【図３】
2004143739.tif 000005
【図４】
2004143739.tif 000006
【図５】
2004143739.tif 000007
【図６】
2004143739.tif 000008
【図７】
2004143739.tif 000009
【図８】
2004143739.tif 000010